(57)【特許請求の範囲】
【請求項１】
電子番組ガイド情報に対応する画像を生成する生成手段と、
前記生成手段により生成された前記電子番組ガイドの画像を、受信した伝送信号に含まれる番組の画像に重畳する重畳手段と
を備え、
継続的に表示される可能性のある前記番組の少なくともタイトルとチャンネル番号を含む電子番組ガイドの画像を前記番組の画像に重畳して前記画像上の第２の領域に表示する場合の透過率を、所望の番組を選択するための番組のリストが表示されている電子番組ガイドの画像を前記番組の画像に重畳して前記画像上の第１の領域に表示する場合の透過率より高くする
ことを特徴とする画像表示制御装置。
【請求項２】
電子番組ガイド情報に対応する画像を生成する生成ステップと、
前記生成ステップの処理により生成された前記電子番組ガイドの画像を、受信した伝送信号に含まれる番組の画像に重畳する重畳ステップと
を含む画像表示制御方法において、
継続的に表示される可能性のある前記番組の少なくともタイトルとチャンネル番号を含む電子番組ガイドの画像を前記番組の画像に重畳して前記画像上の第２の領域に表示する場合の透過率を、所望の番組を選択するための番組のリストが表示されている電子番組ガイドの画像を前記番組の画像に重畳して前記画像上の第１の領域に表示する場合の透過率より高くする
ことを特徴とする画像表示制御方法。
【発明の詳細な説明】
【０００１】
【発明の属する技術分野】
本発明は、画像表示制御装置および方法に関し、特に、電子番組ガイド情報を背景の番組の画像が透けて見えるように重畳して表示させる場合において、電子番組ガイド情報または番組の画像をより明瞭に見ることができるようにした画像表示制御装置および方法に関する。
【０００２】
【従来の技術】
最近、我国においても、衛星を介してテレビジョン放送を行うシステムが実現しつつある。このシステムにおいては、デジタル的にテレビジョン放送が行われるため、例えば１００チャンネルといったような極めて多くの放送チャンネルを確保することができる。
【０００３】
このように、多数の放送チャンネルが存在する場合、逆に、視聴者は、多数の放送チャンネルの中から所望の放送チャンネルを選択することが困難になる。そこで、電子番組ガイド情報（Electrical Program Guide（EPG））を番組の画像データとともに伝送し、受信側において、これを受信して、ディスプレイに表示させるようにし、このディスプレイに表示された電子番組ガイドを用いて所望の番組を選択することが提案されている。
【０００４】
ところで、この電子番組ガイドを番組の画像に重畳して表示する場合、番組の画像を全く見ることができないような状態にして表示するのではなく、番組の画像が背景画像として透けて見えるように表示することが考えられる。このようにすることで、そのとき視聴している番組の画像を確認しながら、他の番組を選択することが可能となる。
【０００５】
【発明が解決しようとする課題】
しかしながら、このように、電子番組ガイドを、そのとき視聴している番組の画像が透けて見えるように、半透明の状態で表示するようにした場合、背景としての番組の画像をあまり明瞭に表示するようにすると、電子番組ガイドが見にくくなる。逆に、電子番組ガイドがあまり明瞭になるようにし過ぎると、背景としての番組の画像を確認することが困難になる。
【０００６】
本発明はこのような状況に鑑みてなされたものであり、必要に応じて電子番組ガイドと番組の画像をいずれも見やすくするようにするものである。
【０００７】
【課題を解決するための手段】
請求項１に記載の画像表示制御装置は、電子番組ガイド情報に対応する画像を生成する生成手段と、生成手段により生成された電子番組ガイドの画像を、受信した伝送信号に含まれる番組の画像に重畳する重畳手段とを備え、継続的に表示される可能性のある番組の少なくともタイトルとチャンネル番号を含む電子番組ガイドの画像を番組の画像に重畳して画像上の第２の領域に表示する場合の透過率を、所望の番組を選択するための番組のリストが表示されている電子番組ガイドの画像を番組の画像に重畳して画像上の第１の領域に表示する場合の透過率より高くすることを特徴とする。
【０００８】
請求項２に記載の画像表示制御方法は、継続的に表示される可能性のある番組の少なくともタイトルとチャンネル番号を含む電子番組ガイドの画像を番組の画像に重畳して画像上の第２の領域に表示する場合の透過率を、所望の番組を選択するための番組のリストが表示されている電子番組ガイドの画像を番組の画像に重畳して画像上の第１の領域に表示する場合の透過率より高くすることを特徴とする。
【００１１】
請求項１に記載の画像表示制御装置および請求項２に記載の画像表示制御方法においては、継続的に表示される可能性のある番組の少なくともタイトルとチャンネル番号を含む電子番組ガイドの画像を番組の画像に重畳して画像上の第２の領域に表示する場合の透過率が、所望の番組を選択するための番組のリストが表示されている電子番組ガイドの画像を番組の画像に重畳して画像上の第１の領域に表示する場合の透過率より高くされる。
【００１３】
【発明の実施の形態】
図１は、本発明を応用したＡＶ（Audio Video）システムの構成例を示している。この実施例の場合、ＡＶシステムは、図示せぬ送信装置より衛星（放送衛星または通信衛星）を介して伝送されてきた電波を、パラボラアンテナ１で受信した信号を復調するＩＲＤ（Integrated Receiver/Decoder）２と、テレビジョン受像機３により構成されている。
【００１４】
ＩＲＤ２（またはテレビジョン受像機３）に対しては、リモートコマンダ６により赤外線（ＩＲ：Infrared）信号により指令を入力することができるようになされている。即ち、リモートコマンダ６のスイッチの所定のものを操作すると、それに対応するＩＲ信号がそのＩＲ信号発信部７２（図４）から出射され、ＩＲＤ２のＩＲ信号受信部５４（図２）に入射されるようになされている。
【００１５】
ＩＲＤ２は、その出力を、例えば、コンポジットビデオ信号線、オーディオＬ信号線、オーディオＲ信号線の３本の線により構成されるＡＶライン４を介してテレビジョン受像機３に供給している。さらに、ＩＲＤ２はＡＶ機器制御信号送受信部２Ａを、テレビジョン受像機３はＡＶ機器制御信号送受信部３Ａを、それぞれ有している。これらは、ワイヤードＳＩＲＣＳ（Wired Sony Infrared Remote Control System）（商標）よりなるコントロールライン５により、相互に接続されている。
【００１６】
図２は、ＩＲＤ２の正面の構成例を表している。筐体５１の中央には蓋５２が開閉自在に設けられ、内部にＩＣカード３３を装着できるようになされている。ＩＲＤ２の左側には、電源キー５３が設けられている。この電源キー５３は、電源をオンまたはオフするとき操作される。電源キー５３の下方には、リモートコマンダ６からのＩＲ信号を受信するＩＲ信号受信部５４が設けれている。
【００１７】
ＬＥＤ５５は、衛星を介して、このＩＲＤ２に対して、所定のメッセージが伝送されてきたとき、点灯するようになされている。ユーザがこのメッセージをテレビジョン受像機３に出力し、表示させ、これを確認したとき、ＬＥＤ５５は消灯される。ＬＥＤ５５の下に配置されているＬＥＤ５６は、ＩＲＤ２が電話回線を介して通信中であるとき点灯する。
【００１８】
番組ガイドキー５７とメニューキー５８は、それぞれテレビジョン受像機３に電子番組ガイドまたはメニューを表示させるとき操作される。
【００１９】
決定キー６５の周囲の上下左右には、それぞれアップキー６１、ダウンキー６２、レフトキー６３およびライトキー６４が環状に配置されている。これらのアップキー６１、ダウンキー６２、レフトキー６３およびライトキー６４（以下、これらのキーを、適宜、方向キーとも称する）は、カーソルを上下左右方向に移動するとき操作される。また、決定キー６５は、選択を決定するとき（セレクトするとき）操作される。チャンネルアップキー５９とチャンネルダウンキー６０は、受信しているチャンネルをアップまたはダウンさせるとき操作される。
【００２０】
図３は、ＩＲＤ２の内部の構成例を示している。パラボラアンテナ１のＬＮＢ（Low Noise Block downconverter）１ａより出力されたＲＦ信号は、フロントエンド２０（受信手段）のチューナ２１に供給され、復調される。チューナ２１の出力は、ＱＰＳＫ復調回路２２に供給され、ＱＰＳＫ復調される。ＱＰＳＫ復調回路２２の出力は、エラー訂正回路２３に供給され、エラーが検出、訂正され、必要に応じて補正される。
【００２１】
ＣＰＵ、ＲＯＭおよびＲＡＭ等からなるＩＣカード３３には、暗号を解読するのに必要なキーが、解読プログラムとともに格納されている。衛星を介して送信される信号が暗号化されている場合、この暗号を解読するにはキーと解読処理が必要となる。そこで、カードリーダインタフェース３２を介してＩＣカード３３からこのキーが読み出され、デマルチプレクサ２４に供給される。デマルチプレクサ２４は、このキーを利用して、暗号化された信号を解読する。
【００２２】
尚、このＩＣカード３３には、暗号解読に必要なキーと解読プログラムの他、課金情報なども格納されている。
【００２３】
デマルチプレクサ２４は、フロントエンド２０のエラー訂正回路２３の出力する信号の入力を受け、これをデータバッファメモリ（ＤＲＡＭ（Dynamic Random Access Memory）またはＳＲＡＭ（Static Random Access Memory））３５に一旦記憶させる。そして、適宜これを読み出し、解読したビデオ信号をＭＰＥＧビデオデコーダ２５に供給し、解読したオーディオ信号をＭＰＥＧオーディオデコーダ２６に供給する。
【００２４】
ＭＰＥＧビデオデコーダ２５は、入力されたデジタルビデオ信号をＤＲＡＭ２５ａに適宜記憶させ、ＭＰＥＧ方式により圧縮されているビデオ信号のデコード処理を実行する。デコードされたビデオ信号は、ＮＴＳＣエンコーダ２７（重畳手段）に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８ＶからＡＶライン４を介して出力される。
【００２５】
なお、このＭＰＥＧビデオデコーダ２５としては、SGS-Thomson Microelectronics社のＭＰＥＧ２復号化ＬＳＩ（ＳＴｉ３５００）を用いることができる。その概略は、例えば、日経ＢＰ社「日経エレクトロニクス」１９９４．３．１４（ｎｏ．６０３）第１０１頁乃至１１０頁に、Martin Bolton氏により紹介されている。
【００２６】
また、ＭＰＥＧ２−Transportstreamに関しては、アスキー株式会社１９９４年８月１日発行の「最新ＭＰＥＧ教科書」第２３１頁乃至２５３頁に説明がなされている。
【００２７】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１ＬからＡＶライン４を介して出力され、右チャンネルのオーディオ信号は、バッファアンプ３１ＲからＡＶライン４を介して出力される。
【００２８】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、ＴＶモードが設定されたとき、ケーブルボックス等のＡＶ機器から入力されるＮＴＳＣ方式のＲＦ信号をスルーして、ＶＣＲや他のＡＶ機器（いずれも図示せず）にそのまま出力する。
【００２９】
この実施例の場合、これらのビデオ信号およびオーディオ信号が、ＡＶライン４を介してテレビジョン受像機３に供給されることになる。
【００３０】
ＣＰＵ（Central Processing Unit）２９は、ＲＯＭ３７に記憶されているプログラムに従って各種の処理を実行する。例えば、チューナ２１、ＱＰＳＫ復調回路２２、エラー訂正回路２３などを制御する。また、ＡＶ機器制御信号送受信部２Ａを制御し、コントロールライン５を介して、他のＡＶ機器（この実施例の場合、テレビジョン受像機３）に所定のコントロール信号を出力し、また、他のＡＶ機器からのコントロール信号を受信する。
【００３１】
このＣＰＵ２９に対しては、フロントパネル４０の各種のキー（図２）を操作して、所定の指令を直接入力することができる。また、リモートコマンダ６（図４）を操作すると、そのＩＲ信号発信部７２よりＩＲ信号が出射され、このＩＲ信号がＩＲ信号受信部３９により受光され、受光結果がＣＰＵ２９に供給される。従って、リモートコマンダ６を操作することによっても、ＣＰＵ２９に所定の指令を入力することができる。
【００３２】
また、デマルチプレクサ２４（抽出手段）は、フロントエンド２０から供給されるＭＰＥＧビデオデータとオーディオデータ以外にＥＰＧ（Electrical Program Guide）データなどを取り込み、データバッファメモリ３５のＥＰＧエリア３５Ａに供給し、記憶させる。ＥＰＧ情報は現在時刻から２４時間後（ＥＰＧ２とＥＰＧ１−２の場合）、または１５０時間後（ＥＰＧ２，ＥＰＧ３と、ＥＰＧ１−２，ＥＰＧ１−３の場合）までの各放送チャンネルの番組に関する情報（例えば、番組の静止画の他、チャンネル、放送時間、タイトル、カテゴリ等）を含んでいる。このＥＰＧ情報は、頻繁に伝送されてくるため、ＥＰＧエリア３５Ａには常に最新のＥＰＧを保持することができる。
【００３３】
ＥＥＰＲＯＭ（Electrically Erasable Programable Read Only Memory）３８には、電源オフ後も保持しておきたいデータ（例えばチューナ２１の４週間分の受信履歴、所定の操作が行われる直前に受信していたチャンネル番号（ラストチャンネル））などが適宜記憶される。そして、この記憶は、例えば、電源がオンされたとき、ラストチャンネルと同一のチャンネルを再び受信させるとき利用される。ラストチャンネルが記憶されていない場合においては、ＲＯＭ３７にデフォルトとして記憶されているチャンネルが受信される。
【００３４】
また、ＣＰＵ２９は、スリープモードが設定されている場合、電源オフ時であっても、フロントエンド２０、デマルチプレクサ２４、データバッファメモリ３５など、最低限の回路を動作状態とし、受信信号に含まれる時刻情報から現在時刻を計時し、所定の時刻に各回路に所定の動作をさせる制御なども実行する。例えば、外部のＶＣＲと連動して、タイマ自動録画を実行する。
【００３５】
さらに、ＣＰＵ２９は、所定のＯＳＤ（On-Screen Display）データを発生したいとき、ＭＰＥＧビデオデコーダ２５（生成手段）を制御する。ＭＰＥＧビデオデコーダ２５は、この制御に対応して所定のＯＳＤデータを生成して、ＤＲＡＭ２５ａのＯＳＤエリア２５に書き込み、さらに読み出して、出力する。これにより、所定の文字、図形、画像（例えば図５乃至図７において、通常の画面に重畳されている文字、シンボル、アイコン、スクリーン）などを適宜テレビジョン受像機３に出力し、表示させることができる。
【００３６】
ＳＲＡＭ３６はＣＰＵ２９のワークメモリとして使用される。モデム３４は、ＣＰＵ２９の制御の下に、電話回線を介してデータを授受する。
【００３７】
図４は、リモートコマンダ６の構成例を表している。その上部には、各種のキーの操作に対応するＩＲ信号発生するＩＲ信号発信部７２が設けられている。電源キー７３は、ＩＲＤ２の電源をオンまたはオフするとき操作され、テレビ電源キー７４は、テレビジョン受像機３の電源をオンまたはオフするとき操作される。消音キー７５は、音声信号をミュートするとき、またはミュートを解除するとき操作される。切換キー７６は、このリモートコマンダ６により、ＩＲＤ２を遠隔制御するとき操作され、切換キー７７は、このリモートコマンダ６により、テレビジョン受像機３を遠隔操作するとき操作される。
【００３８】
入力切換キー７８は、ＩＲＤ２またはテレビジョン受像機３に対する入力を切り換えるとき操作される。画面表示キー７９は、テレビジョン受像機３に所定の電子番組ガイドの文字などが表示される状態を切り換えるとき操作される。二重音声キー８０は、音声チャンネルとして複数のチャンネルが存在するとき、これを切り換えるとき操作される。
【００３９】
テンキー８１は、０乃至９の数字を入力するとき操作される。また、数字０のキーと「選局」のキーは、数字１０または１２を入力するとき操作され、両者の間に配置されているキーは、数字１１を入力するとき操作される。
【００４０】
メニューキー８２は、メニューを表示させるとき操作され、プロモーションキー（プロモキー）８３は、プロモーションチャンネルを表示させるとき操作される。番組説明キー８４は、電子番組ガイドのうちの番組説明情報を表示させるとき操作される。マルチキー８５は、電子番組ガイドとして、各放送チャンネルの縮小画面を１画面内に、例えば４×４個のマルチ画面として表示させるとき操作される。番組ガイドキー８６は、電子番組ガイドを表示させるとき操作される。ジャンプキー８７は、ラストチャンネルに移行するとき操作される。
【００４１】
アップキー８８、ダウンキー８９、レフトキー９０およびライトキー９１（これらのキーも、以下、適宜、方向キーとも称する）は、それぞれカーソルを上下左右方向に移動させるとき操作され、これらのキーの中央に配置されている決定キー９２は、選択の決定を入力するとき操作される。チャンネルアップダウンキー９４は、受信するチャンネルを１ずつインクリメントまたはデクリメントするとき操作される。このアップキー８８、ダウンキー８９、レフトキー９０、ライトキー９１、決定キー９２は、図２に示す、ＩＲＤ２の本体に設けられているアップキー６１、ダウンキー６２、レフトキー６３、ライトキー６４および決定キー６５と対応するものであり、その配置形状も対応するようになされている。また、チャンネルアップダウンキー９４は、図２のチャンネルアップキー５９およびチャンネルダウンキー６０に対応している。
【００４２】
音量アップダウンキー９３は、音量を一定量ずつ、増加または減少するとき操作される。
【００４３】
次に、その基本的な動作について説明する。ユーザが、リモートコマンダ６の例えばテンキー８１を操作して、所定のチャンネル番号を入力すると、その入力された番号に対応するＩＲ信号が、ＩＲ信号発信部７２から出力される。このＩＲ信号は、ＩＲＤ２のＩＲ信号受信部３９で受信される。ＣＰＵ２９は、ＩＲ信号受信部３９から、ＩＲ信号に対応する信号の供給を受けたとき、入力された番号に対応するチャンネルを受信するようチューナ２１を制御する。
【００４４】
チューナ２１は、ＬＮＢ１ａから供給される信号からＣＰＵ２９により指定されたチャンネル番号に対応する信号を復調し、ＱＰＳＫ復調回路２２に出力する。ＱＰＳＫ復調回路２２でＱＰＳＫ復調された信号は、さらにエラー訂正回路２３に入力され、エラー訂正処理が施された後、デマルチプレクサ２４に入力される。デマルチプレクサ２４においては、入力されたデータがビデオデータとオーディオデータとに分離され、ビデオデータはＭＰＥＧビデオデコーダ２５に、オーディオデータはＭＰＥＧオーディオデコーダ２６に、それぞれ供給される。ＭＰＥＧビデオデコーダ２５は、入力されたビデオデータを、ＭＰＥＧ方式でデコード処理した後、ＮＴＳＣエンコーダ２７に出力する。ＮＴＳＣエンコーダ２７は、入力されたビデオデータをＮＴＳＣ方式のビデオ信号に変換する。このビデオ信号は、例えばアンプ２８Ｖを介して、コンポジットビデオ信号として、ＡＶライン４を介してテレビジョン受像機３に供給される。
【００４５】
また、ＭＰＥＧオーディオデコーダ２６は、入力されたオーディオデータをＭＰＥＧ方式でデコードし、Ｄ／Ａ変換器３０に出力する。Ｄ／Ａ変換器３０は、入力されたオーディオデータをＤ／Ａ変換し、左右のアナログオーディオ信号として、アンプ３１Ｌ，３１Ｒを介して出力する。このオーディオ信号も、ＡＶライン４を介してテレビジョン受像機３に出力される。このようにして、テレビジョン受像機３に、ユーザがリモートコマンダ６を操作して指令した番組の画像と音声が出力される。
【００４６】
また、デマルチプレクサ２４は、受信した信号からＥＰＧデータを検出すると、これをデータバッファメモリ３５に供給し、そのＥＰＧエリア３５Ａを上に記憶させる。
【００４７】
リモートコマンダ６の所定のキーを操作して、このＥＰＧ情報の読み出しが指令されたとき、ＣＰＵ２９は、このＥＰＧエリア３５Ａに記憶されているＥＰＧデータを読み出し、ＭＰＥＧビデオデコーダ２５に、ＯＳＤデータに変換させる。このＯＳＤデータは、ＮＴＳＣエンコーダ２７に出力され、通常の番組の画像上に重畳され、出力される。
【００４８】
図５は、リモートコマンダ６の番組ガイドキー８６を操作した場合におけるテレビジョン受像機３における表示例を表している。この表示例においては、スクリーン１０１（第１の領域）が半透明の状態で形成されている。そして、スクリーン１０１上には、電子番組ガイドとして、最上行に現在の日時（１２／１７木１０：１２ＡＭ）が表示されている。そして、その下の領域には、左端部に、日にちと曜日が、その右側に時刻が表示されている。日にちと時刻には、それぞれカーソル（図中、４角形の図形で示されている領域）が表示されており、リモートコマンダ６のアップキー８８またはダウンキー８９を操作することで（あるいはまた、ＩＲＤ２の本体のアップキー６１またはダウンキー６２を操作することで）、これらのカーソルを上下方向に移動させることができる。
【００４９】
そして、時刻の列の右側には、カーソルで指定した日時において、各チャンネルにおいて放送されている番組のタイトルが、その放送日と放送時刻とともに表示されている。そして、この欄においても、チャンネルを表す数字の上に、他とは異なる色にすることで、カーソル（図５の表示例の場合、最も上の行の番号チャンネル１５５の表示欄上に位置する）が表示されている。このカーソルも、上記した場合と同様にして、上下方向に移動させることができる。
【００５０】
すなわち、例えば、リモートコマンダ６のアップキー８８またはダウンキー８９を操作すると、その操作に対応するＩＲ信号がＩＲ信号発信部７２から発信され、ＩＲＤ２のＩＲ信号受信部３９で受信される。ＣＰＵ２９は、この信号が受信されたとき、その信号に対応して、ＭＰＥＧビデオデコーダ２５を制御し、ＯＳＤデータにより表示されているカーソルをＩＲ信号に対応する方向に移動させる。
【００５１】
いまの場合、「１２月１７日（木）」の日にちと、「１０時」の時刻の上にカーソルが配置され、また、その時刻において放送されている番組のうち、最上行に表示されている「チャンネル１５５」の上にカーソルが配置されている。そして、このチャンネル１５５の番組のタイトルとしては、「シャルロット・ゲンズブール知られざる告白」のうちの「シャルロット・ゲンズ」の文字と、「…」のシンボル１０３が表示されている。このシンボル１０３は、まだ表示されていない文字が残っていることを、視聴者に直感的に認識させるために表示されるものである。
【００５２】
チャンネル２００においても、その番組のタイトル「百一匹わんちゃん大行進」が、表示領域に較べて長過ぎるため、「百一匹わんちゃん大行」の文字と、「…」のシンボル１０３が表示されている。
【００５３】
カーソルがチャンネル番号１５５上に位置するため、スクリーン１０１の上方のスクリーン１０２には、この番組のタイトルとステーションロゴおよびチャンネル番号が大きく表示されている。なお、このスクリーン１０２においても、タイトルがすべて表示できないため、「シャルロット・ゲンズブール知ら」の文字とシンボル１０３が表示されている。視聴者は、このシンボル１０３が存在することから、このタイトルが完全なタイトルではなく、その一部のみが表示されていることを、直感的に認識することができる。
【００５４】
図６は、この番組「シャルロット・ゲンズブール知られざる告白」のプレビューを見ている状態を表している。すなわち、この番組は有料番組なのであるが、この番組を紹介するプレビューの画像データがＥＰＧデータの一部として伝送されてくる。視聴者は、このプレビューを視聴することで、番組の概略を知ることができる。視聴者がこの番組を最終的に視聴するかどうかを決定するために、図６の表示例においては、スクリーン１１１が設けられ、そこにこの番組を視聴するとき操作されるボタン１１２と、その購入を決定するとき操作されるリモートコマンダ６またはＩＲＤ２本体のキーを象徴するシンボル１１３が表示されている。
【００５５】
すなわち、このシンボル１１３は、リモートコマンダ６のアップキー８８、ダウンキー８９、レフトキー９０およびライトキー９１よりなる方向キーと、その中央に配置されている決定キー９２に対応する形状とされている（図２のＩＲＤ２のアップキー６１、ダウンキー６２、レフトキー６３、ライトキー６４よりなる方向キーと、その中央に配置されている決定キー６５に対応する形状になされている）。
【００５６】
そして、このシンボルのうち、決定キーに対応する位置の色が、方向キーに対応する位置の色より明るく表示されており、視聴者に操作するキーの位置を直感的に認識せしめるようになされている。
【００５７】
図６に示すスクリーン１０２においては、ステーションロゴが省略されている。従って、その分だけ、スクリーン１０２の領域に余裕ができるため、ここでは、タイトルの全部の文字が、「シャルロット・ゲンズブール知られざる告白」として表示されている。従って、ここでは、図５に示したシンボル１０３は表示されていない。
【００５８】
図５と図６に示すスクリーン１０２には、番組のタイトルが表示される。タイトルは、その性質上は、これを消去せず、継続的に表示させながら、番組が視聴される場合がある。このような場合、スクリーン１０２の透過率が低いと、背景の本来の番組の画像が見にくくなる。そこで、スクリーン１０２（第２の領域）の透過率は、充分大きくなるように設定される。
【００５９】
換言すれば、スクリーン１０２においては、電子番組ガイドと番組の画像の重畳の割合を、例えば１対４に設定するようにして、電子番組ガイド（タイトル）より、番組の画像がより見やすい状態となるようにする。
【００６０】
これに対して、図５に示すスクリーン１０１（第１の領域）には、所望の番組を選択するための番組のリストが表示されており、このような電子番組情報は、継続的に表示され続けるといった性質のものではない。そこで、このスクリーン１０１においては、電子番組情報と番組の画像との重畳の割合を、例えば４対１として、電子番組ガイドの方がより見やすい状態にされている。
【００６１】
図７は、テレビショッピングを放送しているチャンネルを選択した場合の表示例を示している。この表示例においては、半透明のスクリーン１２１がテレビショッピングの番組の画像上に重畳して表示されている。そして、スクリーン１２１上にショッピングを行う商品のリストと対応するボタン１２２が表示されている。
【００６２】
このようなショッピングの番組の画像は、できるだけ購入する商品の画像を明瞭にすることが好ましい。そこで、このスクリーン１２１（第２の領域）上においては、「組み立て式本棚」といった商品名などの電子番組ガイド情報は、例えば１対４の割合で（背景となる商品の画像がより見やすくなる状態で）、ショッピングの番組の画像に重畳される。
【００６３】
但し、ボタン１２２だけは、商品名と同様に、これも透けて表示すると、商品選択のための操作がしにくくなるので、ボタン１２２は、商品名とは異なり、番組の画像が透けて見えない状態で表示される。
【００６４】
これにより、商品の見やすさと商品購入時の操作のしやすさとが両立することになる。
【００６５】
【発明の効果】
以上の如く、請求項１に記載の画像表示制御装置および請求項２に記載の画像表示制御方法によれば、継続的に表示される可能性のある番組の少なくともタイトルとチャンネル番号を含む電子番組ガイドの画像を番組の画像に重畳して画像上の第２の領域に表示する場合の透過率を、所望の番組を選択するための番組のリストが表示されている電子番組ガイドの画像を番組の画像に重畳して画像上の第１の領域に表示する場合の透過率より高くするようにしたので、第１の領域と第２の領域を適宜使い分けることにより、電子番組ガイド情報と番組の画像とを、いずれも、より見やすい状態とすることができる。
【図面の簡単な説明】
【図１】本発明が適用されるＡＶシステムの構成例を示すブロック図である。
【図２】図１のＩＲＤ２の正面の構成例を示す図である。
【図３】図１のＩＲＤ２の内部の構成例を示すブロック図である。
【図４】図１のリモートコマンダ６の構成例を示す図である。
【図５】図１のテレビジョン受像機３の表示例を示す図である。
【図６】図１のテレビジョン受像機３の他の表示例を示す図である。
【図７】図１のテレビジョン受像機３のさらに他の表示例を示す図である。
【符号の説明】
１  パラボラアンテナ，  ２  ＩＲＤ，  ３  テレビジョン受像機，  ６  リモートコマンダ，  ２１  チューナ，  ２３  エラー訂正回路，  ２４  デマルチプレクサ，  ２５  ＭＰＥＧビデオデコーダ，  ２５ａ  ＤＲＡＭ，  ２６  ＭＰＥＧオーディオデコーダ，  ２６ａ  ＤＲＡＭ，  ２９  ＣＰＵ，  ３５  データバッファメモリ，  ３５Ａ  ＥＰＧエリア，  ３６  ＳＲＡＭ，  ３７  ＲＯＭ，  ３８  ＥＥＰＲＯＭ，  ３９  ＩＲ信号受信部
【図１】
0003685277.tif 000002
【図２】
0003685277.tif 000003
【図３】
0003685277.tif 000004
【図４】
0003685277.tif 000005
【図５】
0003685277.tif 000006
【図６】
0003685277.tif 000007
【図７】
0003685277.tif 000008